(57)【要約】 【課題】、相応の軽量で且つ厚みを有して作業性が良く、且つ雨除け効果に優れた果実用保護傘を提供する。【解決手段】凹凸アルミ箔を表面層１１とし、防水フィルムを裏面層１３とし、発泡樹脂を中間層１２とした積層構造のシート材で形成した正方形シートにおいて、中央に枝用孔部２を設け、枝用孔部２と一辺縁の中間点を結ぶ中間切断線４１、及び前記中間点から適宜離れた位置と枝用孔部２又は中間切断線４１の途中を結ぶ斜め切断線４２とで三角形の切欠部４を形成すると共に、前記一辺縁における斜め切断線４２を形成した側の辺縁３ｂを、対向する辺縁３ｄより対向辺方向の距離を短く形成する。【選択図】図１
0003210643.tif 000002
【実用新案登録請求の範囲】
【請求項１】
凹凸アルミ箔を表面層とし、防水フィルムを裏面層とし、発泡樹脂を中間層とした積層構造のシート材で形成してなることを特徴とする果実用保護傘。
【請求項２】
正方形シートにおいて、中央に適宜径の枝用孔部を設け、当該枝用孔部と一辺縁の中間点を結ぶ中間切断線、及び前記中間点から適宜離れた位置と枝用孔部又は中間切断線の途中を結ぶ斜め切断線とで三角形の切欠部を形成すると共に、当該一辺縁における斜め切断線を形成した側の辺縁を、対向する辺縁より対向辺方向の距離を短く形成してなる請求項１記載の果実用保護傘。
【考案の詳細な説明】
【技術分野】
【０００１】
本考案は、柑橘類、ブドウ、ナシの他の果実栽培において、栽培中の果実を雨、雪、ひょう、あられ、みぞれ等の直射による果皮障害や、直射日光等による高温障害、降霜等による低温障害等から保護するために使用する果実用保護傘に関するものである。
【背景技術】
【０００２】
果実用保護傘は、一般的に正方形シートや円形シートを採用し、中央部分に枝用孔部を設け、一辺から前記中央部分まで切り込み又は三角形の切欠部を設けた形状のもので、前記枝用孔部を果柄に合わせ、全体を三角錐状に巻いて果実の上方部分を覆い、シートの重なり部分を止着して果樹に取り付けているものである。
【０００３】
シートの重なり部分の止着手段としては、特許文献１に開示されているようにホッチキスで止め、或いは特許文献２に開示されているようにシートの重なり部分に設けた差し込み構造を採用している。また特に正方形シートにおいては、重なり部分の辺が一致する位置で止着を行っている。
【０００４】
シート材質としては、防水紙、合成樹脂長繊維を高密度で接合した不織布（特許文献１）、表面層を防水フィルムとし、不織布の中間層、合成樹脂織布の裏面層の三層構造のシート（特許文献３）等が知られている。
【先行技術文献】
【特許文献】
【０００５】
【特許文献１】特開平１０−１６５０１０号公報。
【特許文献２】意匠登録第４００００９号公報。
【特許文献３】特許第５１６４７６８号公報。
【考案の概要】
【考案が解決しようとする課題】
【０００６】
ところで果実用保護傘は手作業での着脱を行うものであるから、ある程度の厚みと重量を備えた方が取り扱いやすいし、風に対する抵抗力も増すが、厚みを増加させて重量が過大になると装着された果柄に負担が掛かってしまう。
【０００７】
また特許文献３に開示されている三層構造のシートは、枝用孔部を形成せずに切り込みのみを設けたのみであるから、装着時に果柄と前記切り込み奥端との間に間隙が生じてしまう。このため前記の三層構造のシートは、作業性を高める厚さと風対策となる相応の重量となるバランスのとれたシート材を採用しても、雨天時に果柄の周囲の間隙から果柄を流下する雨水が問題となる。このため中間層を含水可能構造として、前記雨水を吸収する構造としている。しかし雨水を含んだ状態となると、傘自体の重量が増加し、果柄に負担がかかることになる。
【０００８】
また従前の正方形シートの装着に際しては、装着作業性を高め、且つ装着が正確になされるように、重なり部分の辺を一致させ、当該状態で重なり部分を連結止着している。しかし枝用孔部の径が円錐状での果柄径と必ずしも一致しているものではない。一致している場合は果柄と枝用孔部が密着し、果柄を伝わって流下する雨水は、傘表面に流れ出て果実に達しないが、果柄と枝用孔部との確実な密着がなされない場合には、果実側に流れてしまう。
【０００９】
そこで本考案は、相応の軽量で且つ厚みを有するシート材質を備えた果実用保護傘を提案したものであり、更に前記シート材質の利点を高める形状の果実用保護傘を提案したものである。
【課題を解決するための手段】
【００１０】
本考案の請求項１記載に係る果実用保護傘は、凹凸アルミ箔を表面層とし、防水フィルムを裏面層とし、発泡樹脂を中間層とした積層構造のシート材で形成してなることを特徴とするものである。
【００１１】
しかして前記シート材で果実用保護傘を形成すると、所望の厚みと重量を備えることが容易であり、一枚一枚取り扱い易くなり作業性を良好とする。更に果実への装着後においても風に対する抵抗力も有する果実用保護傘となるものである。またシート材自体に雨水の吸収がないので、雨天時の傘重量の増加もなく果柄の負担が少なく、厚みと重量の最適なバランスを備えた果実用保護傘とすることができる。
【００１２】
更に表面層をアルミ箔とし中間層を発泡樹脂とし、太陽光反射機能と断熱効果を奏するものであるから、強い太陽光を遮断して傘内果実の温度上昇を抑えて、高温障害による果実への被害を防ぐ。また低温時には、果実が凍結した後に直射日光が当ると急激な解凍が生じ、果実のデンプン質が渋味成分に変化したり、鬆（す）が入ったりする等の障害が発生して、当該果実の商品価値を著しく低下させるが、保護傘の直射日光の遮断によってこれを防止し、更に断熱効果によって降霜から果実を守り、低温障害による被害も防ぐものである。
【００１３】
また本考案の請求項２記載に係る果実用保護傘は、前記のシート材を採用すると共に所定の形状に形成したものである。即ち正方形シートにおいて、中央に適宜径の枝用孔部を設け、当該枝用孔部と一辺縁の中間点を結ぶ中間切断線、及び前記中間点から適宜離れた位置と枝用孔部又は中間切断線の途中を結ぶ斜め切断線とで三角形の切欠部を形成すると共に、当該一辺縁における斜め切断線を形成した側の辺縁を、対向する辺縁より対向辺方向の距離を短く形成してなるものである。
【００１４】
しかして前記の果実用保護傘は、従前の物と同様に装着対象の果実の果柄に枝用孔部を合わせ、切欠部を挟んだシート面部分を重ね合わせて、全体を三角錐状に巻いて果実の上方部分を覆い、特に重なり状態が均一になるようにシートの重なり部分の辺縁を一致させ、重なり部分を連結止着して果樹に取り付けているものである。
【００１５】
特に本考案は重なり部分（切欠部を挟んだシート面部分）の辺縁の対向辺距離を予め不一致（段差を有するようにした）としたもので、重ね作業に際して重なり部分の辺を一致させると、正方形の場合に比較して重なり角度が大きくなり、枝用孔部が正方形の場合に比較より窄められて果柄に密着して装着されることになる。
【００１６】
従って装着対象の果実の種類に対応した全体の大きさ及び枝用孔部の径を定め、更に前記の大きさに対応して段差寸法を設定しておくことで、果柄に対して隙間なく枝用孔部の内端面を密着させて装着することになり、果柄を流下する雨水が傘表面に流れ、確実な雨除けを実現するものである。
【考案の効果】
【００１７】
本考案の構成は上記のとおりで、中間層に発泡樹脂層を形成した三層構造にすることで所望の厚みと重量を備え、取り扱い易く作業性が良好で、果実への装着後も風に対する抵抗力も備えた果実用保護傘を容易に形成することができる。また保護傘装着時に果柄に対する巻き付けを密着状態とすることができ、保護傘への雨水の浸透を無くしても、果柄を流下する雨水を果実側へ流れるのを防止し、雨天時の果柄への重量負担の増加をも無くしたものである。
【図面の簡単な説明】
【００１８】
【図１】本考案の実施形態（第一実施例）の正面図。
【図２】同拡大一部断面図。
【図３】同使用状態の説明図。
【図４】本考案の第二実施例の正面図。
【図５】同使用状態の説明図。
【考案を実施するための形態】
【００１９】
次に本考案の実施形態を図示した実施例に基づいて説明する。図１乃至３は第一実施例で、第一実施例の果実用保護傘は、シート材１で所定の形状に形成したもので、シート材１は表面層１１、中間層１２、及び裏面層１３の三層積層構造である。
【００２０】
表面層１１は、凹凸アルミ箔で形成したものであり、中間層１２は、軽量でシート材１の厚みを確保できる例えば発泡ウレタンのような発泡樹脂で形成したもので、表面層１１の凹凸形状に密着して剥離し難いものとしているものである。
【００２１】
裏面層１３は、防水性、対候性に優れた例えばポリエチレンフィルムのような材質のものを採用し、色彩については特定されない。但しその反射光は直接果実に照射されるので、使用対象の果樹の種別に対応して選択決定する。
【００２２】
果実用保護傘は、前記シート材１を所定形状に切断して形成したもので、全体が略正方形で、中央に枝用孔部２を設け、一側の辺縁（３ａ，３ｂ）に、切欠部４を形成し、前記一側の辺３ａ，３ａに段差を設けたものである。
【００２３】
切欠部４は、枝用孔部２と辺縁３ａ，３ｂの中間点を結ぶ中間切断線４１、及び前記中間点から適宜離れた位置と枝用孔部２又は中間切断線４１の途中を結ぶ斜め切断線４２とで三角形に形成したものである。
【００２４】
また切欠部４で分断される辺縁３ａ，３ｂのうち、斜め切断線４２と交差する辺縁３ｂを、中間点から隣接辺３ｃに至る辺縁３ａに対して、対向する辺縁３ｄより対向辺方向の距離を短く形成し、段差ａを形成したものである。
【００２５】
前記の傘全体の大きさ、枝用孔部２の径、段差Ａの寸法は、使用対象の果実の種類、品種、栽培程度等に対応して相違し、適宜後述装着において最適と認められる寸法を採用するものであるが、目安として例えばデコポン栽培用であれば全体の大きさが２００ｍｍ×２００ｍｍ程度で、中央に枝用孔部２は直径３〜５ｍｍとし、段差ａは、５ｍｍ前後である。
【００２６】
しかして前記の果実用保護傘は、従前の物と同様に装着対象の果実Ａの果柄Ｂに枝用孔部２を合わせ、切欠部４を挟んだシート面部分（辺縁３ａ，３ｃ側の面１ａと、辺縁３ｂ，３ｅ側の面１ｂ）を重ね合わせて、全体を三角錐状に巻いて果実Ａの上方部分を覆うようにするものである。
【００２７】
特に前記の重ね合わせにおいて、段差ａを形成していない従前の傘と同様の重ね合わせを行うと、図３（イ）に示す通り辺縁３ａと辺縁３ｅを一致させた状態では、段差ａの分だけ辺縁３ｂと辺縁３ｃが一致しない。そこで更に面１ｂを矢印方向にずらして辺縁３ｂと辺縁３ｃを一致させると、枝用孔部２の内周縁が果柄Ｂに更に巻き付けられることになり、枝用孔部２の内周縁が果柄Ｂに密着する。そしてこの状態でステープラーの連結針５で重なり面の箇所を止着して保護傘を果実Ａに装着するものである。
【００２８】
従って前記の保護傘は、果柄Ｂの周囲に間隙が生じないように装着されることになり、更に三層構造で所望の厚さ、重量とすることができるシート材の採用により、笠懸作業の作業能率を高めると共に、確実な雨除け、日除け、霜除けを実現し、果実における高温障害並びに低温障害の発生をも防止するものである。
【００２９】
また図４，５は第二実施例を示すもので、この第二実施例はシート材１に予め止着構造を形成しておくもので、止着構造は、果樹装着に際して重なりあうシート面１ａ，１ｂに設けたもので、シート面１ａの所定位置には差し込み長孔６を設け、他方の段差ａを形成したシート面１ｂにおいては、辺縁３ｂと辺縁３ｅからの切り込み７ａ，７ｂを設けて、シート面１ｂの角部分に差込片８を形成したものである。
【００３０】
しかして図５に示すとおりシート面１ａとシート面１ｂを重ね合わせ、差込辺８を長孔６に差し込んでシート面１ａとシート面１ｂを連結止着すると、辺縁３ａと辺縁３ｅが一致し、辺縁３ｂと辺縁３ｃが一致する。且つ前記止着状態は、第一実施例と同様に段差ａを形成していることによって、枝用孔部２の内周縁が果柄Ｂにより以上巻き付けられ、枝用孔部２の内周縁が果柄Ｂに密着するものである。
【符号の説明】
【００３１】
１      シート材
１１      表面層
１２      中間層
１３      裏面層
１ａ，１ｂ    シート面
２      枝用孔部
３ａ，３ｂ，３ｃ，３ｄ，３ｅ    辺縁
４      切欠部
４１    中間切断線
４２    斜め切断線
５      連結針
６      長孔
７ａ，７ｂ  切り込み
８      差込片
【図１】
0003210643.tif 000003
【図２】
0003210643.tif 000004
【図３】
0003210643.tif 000005
【図４】
0003210643.tif 000006
【図５】
0003210643.tif 000007